(57)【要約】【課題】建築士と施主とが共同で住宅の設計図面を作成するとともに、施主が選択した建築部材を設計図面に盛り込むことにより、建築士及び施主の間における意思の疎通を円滑にし、工期の遅れや金銭的な負担を軽減できる住宅設計支援システムを提供する。【解決手段】サーバー２は、建築士によって設計された設計図面の図面情報が設計用端末から送信されると、設計図面に反映することが可能な複数の建築部材を特定するとともに、特定された個々の建築部材（建築部材群）の部材情報を、情報記憶手段１１から抽出する抽出手段２０と、図面情報及び部材情報を、施主の選択用端末に配信する図面情報配信手段２１と、選択用端末によって建築部材群の中から所望の建築部材が選択されると、この選択情報を設計用端末に配信する選択情報配信手段２３とを具備する。【選択図】　　　　図２
2004021903.tif 000002
【特許請求の範囲】
【請求項１】
住宅の設計図面を作成するための設計用端末、及び前記住宅に据え付ける建築部材を選択するための選択用端末に、通信ネットワークを介して接続された管理用コンピュータを備える住宅設計支援システムであって、
前記管理用コンピュータは、
複数の建築部材における部材情報が記憶された部材情報記憶手段と、
前記設計図面における図面情報が前記設計用端末から前記通信ネットワークを介して送信されると、前記設計図面に反映することが可能な複数の建築部材を特定して建築部材群とするとともに、該建築部材群における個々の建築部材の前記部材情報を、前記部材情報記憶手段から抽出する抽出手段と、
前記設計用端末から送信された前記図面情報、及び前記抽出手段によって抽出された前記建築部材群の前記部材情報を、前記通信ネットワークを介して前記選択用端末に配信する図面情報配信手段と、
前記建築部材群の中から選択された前記建築部材の選択情報が前記選択用端末から前記通信ネットワークを介して返信されると、該選択情報を前記設計用端末に配信する選択情報配信手段と
を具備することを特徴とする住宅設計支援システム。
【請求項２】
前記管理用コンピュータは、前記設計図面を作成するためのＣＡＤソフト、及び前記複数の建築部材に関する部材情報を、前記通信ネットワークを介して予め前記設計用端末に送信する基材送信手段をさらに備えることを特徴とする請求項１に記載の住宅設計支援システム。
【請求項３】
前記選択用端末は、
前記管理用コンピュータから前記図面情報及び前記部材情報が配信されると、前記図面情報を基に前記設計図面を表示するとともに、該設計図面の各部位に対して選択可能な前記建築部材群の一覧を表示する選択画面表示手段と、
前記一覧の中から所望の建築部材が選択されると、該建築部材に関する部材図面を前記設計図面に貼付けて表示する部材図面貼付手段と
を備えることを特徴とする請求項１または請求項２に記載の住宅設計支援システム。
【請求項４】
前記一覧には、夫々の前記建築部材の販売価格が含まれていることを特徴とする請求項３に記載の住宅設計支援システム。
【請求項５】
住宅の設計図面を作成するための設計用端末、及び前記住宅に据え付ける建築部材を選択するための選択用端末に、通信ネットワークを介して接続された管理用コンピュータを備えるシステムにおいて使用される住宅設計支援プログラムであって、
複数の建築部材における部材情報が記憶された部材情報記憶手段、
前記設計図面における図面情報が前記設計用端末から前記通信ネットワークを介して送信されると、前記設計図面に反映することが可能な複数の建築部材を特定して建築部材群とするとともに、該建築部材群における個々の建築部材の前記部材情報を、前記部材情報記憶手段から抽出する抽出手段、
前記設計用端末から送信された前記図面情報及び前記抽出手段によって抽出された前記建築部材群の前記部材情報を、前記通信ネットワークを介して前記選択用端末に配信する図面情報配信手段、
前記建築部材群の中から選択された前記建築部材の選択情報が前記選択用端末から前記通信ネットワークを介して返信されると、該選択情報を前記設計用端末に配信する選択情報配信手段
として、前記管理用コンピュータを機能させることを特徴とする住宅設計支援プログラム。
【発明の詳細な説明】
【０００１】
【発明の属する技術分野】
本発明は、住宅設計支援システム、及び住宅設計支援プログラムに関し、特に、建築士と施主とが、通信ネットワークを介して共同して設計することを可能にする住宅設計支援システム、及びそのシステムにかかるプログラムに関するものである。
【０００２】
【従来の技術】
従来、住宅の設計図面を作成するにあたり、施主の生活パターンや家族構成等に則した住宅を作るため、施主と建築士（設計士）との間で、あるいは建築会社の営業担当者をも含めて協議が重ねられる。なお、通常、設計図面として二次元の図面やパース図が作成され、施主に提示される。
【０００３】
【発明が解決しようとする課題】
しかし、施主と建築士との間で住宅に対するイメージが異なる場合には、意思の疎通を円滑に行うことが困難とされていた。このため、協議が何度も繰返されることが多く、工期が遅れると共に、建築士等の負担が増大する原因となっていた。また、協議のための人件費を住宅価格に上乗せする場合には、住宅価格が高くなり施主の負担が大きくなってしまう。
【０００４】
また、住宅を設計する際には、例えば玄関収納や収納壁等の建築部材が選択され設計図面に示されるが、これらの建築部材は種類が極めて多く、また、建築士は、自らの趣味・嗜好に偏った調度品をレイアウトしがちであるため、建築士が選択した建築部材と施主の好みとが一致しない場合が多々ある。これは、図面が建築士でなければ修正できないため、全ての作業が建築士の元に集中していたことによる。つまり、建築部材のタイプや色調といった嗜好性が高い部分であっても、設計図面の一部を施主に渡して図面を引いてもらうことは不可能であることから、建築士が一括して行っていた。
【０００５】
そして、建築部材の好みが互いに一致しない場合には、設計変更が要求されたり、施主の満足度を低下させたりしていた。特に、設計変更が要求された場合には、製造コストが増加するとともに工期が延長され、施主、建築士、及び施工業者等の負担がさらに大きくなってしまう。
【０００６】
ところで、建築部材メーカーとしては、自社の製品を施主に選択してもらえるような体制を作れば、売上の増加に繋げることができる。例えば建築士が作成した図面をトレースして平面図等を作成し、その図面に自社製品をレイアウトして施主に提示し、さらに施主との相談の後、図面を完成させて建築士に提出するようにすれば、建築士の図面に自社の製品を反映させることが可能になる。しかしながら、この方法によれば多くの作業が必要となることから、人件費等が大幅に増加するとともに、建築部材が図面に反映されるまでに比較的長い時間がかかるようになる。
【０００７】
そこで、本発明は、上記の実状に鑑み、建築士及び施主の間における意思の疎通を円滑にし、工期の遅れや金銭的な負担を軽減できる住宅設計支援システム、及びプログラムの提供を課題とするものである。
【０００８】
【課題を解決するための手段】
請求項１の発明にかかる住宅設計支援システムは、住宅の設計図面を作成するための設計用端末、及び前記住宅に据え付ける建築部材を選択するための選択用端末に、通信ネットワークを介して接続された管理用コンピュータを備える住宅設計支援システムであって、前記管理用コンピュータは、複数の建築部材における部材情報が記憶された部材情報記憶手段と、前記設計図面における図面情報が前記設計用端末から前記通信ネットワークを介して送信されると、前記設計図面に反映することが可能な複数の建築部材を特定して建築部材群とするとともに、該建築部材群における個々の建築部材の前記部材情報を、前記部材情報記憶手段から抽出する抽出手段と、前記設計用端末から送信された前記図面情報、及び前記抽出手段によって抽出された前記建築部材群の前記部材情報を、前記通信ネットワークを介して前記選択用端末に配信する図面情報配信手段と、前記建築部材群の中から選択された前記建築部材の選択情報が前記選択用端末から前記通信ネットワークを介して返信されると、該選択情報を前記設計用端末に配信する選択情報配信手段とを具備するものである。
【０００９】
ここで、「建築部材」としては、システムキッチン等の住宅機器や、収納壁及び玄関収納等の建材を例示することができる。また、「部材情報」には、少なくとも建築部材の図面データが含まれる。
【００１０】
したがって、請求項１の発明の住宅設計支援システムによれば、建築士が設計用端末を利用して住宅の設計図面を作成すると、その設計図面の図面情報（即ち設計図面を表示させることが可能なデータ）が設計用端末から管理用コンピュータに送信される。なお、この設計図面において、建築部材を据え付ける部位には、その旨を示す指示または空欄が設けられていることが好ましい。管理用コンピュータは、設計用端末から図面情報が送信されると、まず設計図面に反映することが可能な複数の建築部材を特定する。ここで、建築部材は、設計図面を基に特定してもよく、建築士が入力した住宅の価格、グレード、または材質等の各種情報を基に、それに合致する建築部材を特定してもよい。さらには、選択可能な複数の建築部材を建築士自らが指定するようにしてもよい。そして、このように特定された複数の建築部材は建築部材群として設定される。
【００１１】
管理用コンピュータは、特定した夫々の建築部材（建築部材群）における部材情報を、部材情報記憶手段から抽出し、これらの部材情報を図面情報とともに選択用端末に配信する。これにより、選択用端末では、図面情報を基に設計図面を表示するとともに、建築部材群の中から一つの建築部材を選択させることを可能にする。つまり、施主は、設計図面を見ながら所望の建築部材を選択することが可能になる。
【００１２】
その後、選択用端末から建築部材の選択情報（即ち施主によって選択された建築部材の情報）が返信されると、その選択情報を設計用端末に配信する。これにより、設計用端末では、施主によって選択された建築部材を把握することが可能になる。なお、選択された建築部材を設計図面に貼り付けた状態で図面情報及び部材情報を送信するようにしてもよい。これによれば、建築部材が描かれた設計図面を、設計用端末において表示させることが可能になる。
【００１３】
請求項２の発明にかかる住宅設計支援システムは、請求項１に記載の住宅設計支援システムにおいて、前記管理用コンピュータは、前記設計図面を作成するためのＣＡＤソフト、及び前記複数の建築部材に関する部材情報を、前記通信ネットワークを介して予め前記設計用端末に送信する基材送信手段をさらに備えるものである。
【００１４】
したがって、請求項２の発明の住宅設計支援システムによれば、請求項１の発明の作用に加え、管理用コンピュータから設計用端末にＣＡＤソフトが送信されるため、そのＣＡＤソフトを利用して設計することが可能になる。そして、管理用コンピュータから提供するＣＡＤソフトを、建築部材を作成するＣＡＤソフトと共通にすることにより、選択された建築部材を、作成された設計図面に容易に貼付けることが可能になる。また、設計用端末に部材情報が送信されるため、建築士は建築部材の大きさ等を考慮して設計図面を作成することが可能になる。
【００１５】
請求項３の発明にかかる住宅設計支援システムは、請求項１または請求項２に記載の住宅設計支援システムにおいて、前記選択用端末は、前記管理用コンピュータから前記図面情報及び前記部材情報が配信されると、前記図面情報を基に前記設計図面を表示するとともに、該設計図面の各部位に対して選択可能な前記建築部材群の一覧を表示する選択画面表示手段と、前記一覧の中から所望の建築部材が選択されると、該建築部材に関する部材図面を前記設計図面に貼付けて表示する部材図面貼付手段とを備えるものである。
【００１６】
したがって、請求項３の発明の住宅設計支援システムによれば、請求項１または請求項２の発明の作用に加え、選択用端末では、管理用コンピュータから図面情報及び部材情報が送信されると、表示手段に設計図面を表示するとともに、建築部材群の一覧を表示する。この一覧は施主によって選択可能な建築部材を表すものであり、設計図面の中に建築部材の据え付け箇所が複数ある場合には、各部位に対応して表示される。
【００１７】
また、選択用端末では、施主によって建築部材が選択されると、その建築部材にかかる部材図面を、設計図面に貼付けて表示する。つまり、建築部材を選択することにより、建築部材を描いた設計図面を作成することが可能になる。
【００１８】
請求項４の発明にかかる住宅設計支援システムは、請求項３に記載の住宅設計支援システムにおいて、前記一覧には、夫々の前記建築部材の販売価格が含まれているものである。
【００１９】
したがって、請求項４の発明の住宅設計支援システムによれば、請求項３の発明の作用に加え、選択用端末では建築部材の販売価格も表示されるため、施主は販売価格を参照しながら建築部材を選択することが可能になる。なお、選択される建築部材が複数ある場合には、販売価格の合計額を見積もり情報として表示させるようにしてもよい。
【００２０】
請求項５の発明にかかる住宅設計支援プログラムは、住宅の設計図面を作成するための設計用端末、及び前記住宅に据え付ける建築部材を選択するための選択用端末に、通信ネットワークを介して接続された管理用コンピュータを備えるシステムにおいて使用される住宅設計支援プログラムであって、複数の建築部材における部材情報が記憶された部材情報記憶手段、前記設計図面における図面情報が前記設計用端末から前記通信ネットワークを介して送信されると、前記設計図面に反映することが可能な複数の建築部材を特定して建築部材群とするとともに、該建築部材群における個々の建築部材の前記部材情報を、前記部材情報記憶手段から抽出する抽出手段、前記設計用端末から送信された前記図面情報及び前記抽出手段によって抽出された前記建築部材群の前記部材情報を、前記通信ネットワークを介して前記選択用端末に配信する図面情報配信手段、前記建築部材群の中から選択された前記建築部材の選択情報が前記選択用端末から前記通信ネットワークを介して返信されると、該選択情報を前記設計用端末に配信する選択情報配信手段として、前記管理用コンピュータを機能させるものである。
【００２１】
したがって、請求項５の発明の住宅設計支援プログラムによれば、通信ネットワークに接続された管理用コンピュータにおいて、このプログラムを実行させると、請求項１と同様の作用を奏することになる。
【００２２】
【発明の実施の形態】
以下、本発明の一実施形態である住宅設計支援システム１について、図１乃至図７に基づき説明する。図１は住宅設計支援システム１全体の概略構成を示す説明図であり、図２乃至図４は住宅設計支援システム１における機能的構成を示すブロック図であり、図５及び図６は表示画面の一例を簡略的に表した説明図であり、図７は処理の流れを示すフローチャートである。
【００２３】
本実施形態の住宅設計支援システム１は、図１に示すように、サーバー２と、建築部材メーカー３に配設された部材管理用端末４と、建築士５が利用可能な設計用端末６と、住宅の施主７が利用可能な選択用端末８とを、ネットワーク９（インターネット等の広域通信ネットワーク）を介して接続したものである。なお、部材管理用端末４は、サーバー２に対して部材情報等を提供するためのものであり、サーバー２に部材情報を直接入力する場合には不要となる。ここで、サーバー２が本発明の管理用コンピュータに相当する。
【００２４】
サーバー２は、設計用端末６及び選択用端末８からの指示を、ネットワーク９を介して受信し、これらの指示に応じた処理を行うものである。ハード構成としては、汎用のコンピュータと同様、主記憶装置（図示しない）と、演算装置及び制御装置から構成される中央処理装置と、キーボードやポインティングデバイス等、情報を直接入力するための入力装置と、サーバー２の中で処理された情報を取出すディスプレイ等の出力装置と、ネットワーク９を介してデータの送受信を行うモデム等の通信手段と、ハードディスク等から構成された情報記憶手段１１（図２参照）とを備えている。
【００２５】
なお、通信手段は、図２に示すように、設計用端末６等からデータを受信する受信手段１２と、設計用端末６及び選択用端末８にデータを送信する送信手段１３とを有する通信制御手段１４によって制御されるようになっている。
【００２６】
また、情報記憶手段１１には、ＣＡＤソフト１５、部材情報１６、及び個人情報１７等が記憶されている。ここで、ＣＡＤソフト１５は、設計用端末６を利用して住宅の設計図面を作成するためのプログラムであり、建築部材メーカー３において建築部材の部材図面を作成する際に用いられるＣＡＤソフトと同一のものである。部材情報１６は、建築部材に関する情報であり、各部材毎に、図面データ、品名、品番、タイプ、グレード、材料、サイズ、色調、写真、及び販売価格等の情報が含まれている。また、個人情報１７は、登録された建築士５及び施主７に関するものであり、これらの氏名、住所、及びアドレス等が含まれている。ここで、情報記憶手段１１が本発明の部材情報記憶手段に相当する。
【００２７】
ところで、このサーバー２には、住宅設計支援プログラムが記憶されており、このプログラムを実行させることにより、以下に示す機能的構成を有するものになる。
【００２８】
すなわち、図２に示すように、サーバー２は、アクセスされた設計用端末６に対して、情報記憶手段１１に記憶されたＣＡＤソフト１５及び部材情報１６を送信する基材出力手段１８（本発明の基材送信手段に相当）を備えている。これにより、設計用端末６を設計可能な環境にすることができる。また、サーバー２は、設計用端末６から設計図面における図面情報が入力された際、それを認識する図面情報認識手段１９と、認識した図面情報から設計図面に反映することが可能な複数の建築部材を特定するとともに、それらの部材情報１６を情報記憶手段１１から抽出する抽出手段２０と、認識した図面情報及び抽出した部材情報１６を、施主７の選択用端末８に配信する図面情報配信手段２１とを備えている。これによれば、設計図面に反映することが可能な複数の建築部材群に関する情報を、設計図面とともに選択用端末８に送信し、施主７に把握させることが可能になる。
【００２９】
さらに、サーバー２は、選択用端末８から建築部材の選択情報（即ち建築部材の部材図面が貼付けられた設計図面）が入力された際、それを認識する選択情報認識手段２２と、認識した選択情報を建築士５の設計用端末６に配信する選択情報配信手段２３とを備えている。これによれば、建築部材が描かれた設計図面を建築士５に把握させることが可能になる。
【００３０】
一方、設計用端末６は、ブラウザソフトがインストールされた汎用のコンピュータであり、主記憶装置と、演算装置及び制御装置から構成される中央処理装置と、ネットワーク９を介してデータを送受信する通信装置とを備えている。なお、通信装置は、図３に示すように、受信手段２５及び送信手段２６を有する通信制御手段２７によって制御される。また、設計用端末６は、キーボードやポインティングデバイス等の入力装置２８と、ディスプレイ２９を制御する表示制御手段３０と、プリンタ（図示しない）を制御する印刷制御手段とを備えている。また、設計用端末６には、ＣＡＤソフト１５及び部材情報１６を記憶するとともに、設計用端末６で設計した設計図面、及び選択用端末８から送信された設計図面（部材図面が貼付けられたもの）に関する図面情報３１を記憶することが可能な情報記憶手段３２を有している。
【００３１】
設計用端末６は、機能的構成として、サーバー２からＣＡＤソフト１５及び部材情報１６が入力された際、それを認識し情報記憶手段３２に記憶する基材認識手段３３と、情報記憶手段３２からＣＡＤソフト１５を読出すとともに、入力装置２８の操作によってディスプレイ２９上に設計図面を作成する設計図面作成手段３４と、作成された設計図面における図面情報３１をサーバー２に送信する図面情報出力手段３５とを備えている。なお、図面情報３１にはＣＡＤデータのみではなく、建築部材群を特定するために建築士５が指示した情報（例えば許容サイズ等）も含まれている。また、設計図面としては、特に限定されるものではないが、例えば平面図、立面図、及び断面図を含めることができ、建築部材を据え付ける部位には、空間を表す印や建築部材の許容サイズを示す寸法が入力される。
【００３２】
さらに、設計用端末６は、サーバー２を介して選択情報が入力されると、それを認識する選択情報認識手段３６を備えており、認識された選択情報は、表示制御手段３０によってディスプレイ２９に表示されるとともに、情報記憶手段３２に記憶される。
【００３３】
一方、施主７の選択用端末８は、ブラウザソフトがインストールされた汎用のコンピュータであり、主記憶装置、中央処理装置、及び通信装置等を備えている。なお、通信装置は、図４に示すように、受信手段３８及び送信手段３９を有する通信制御手段４０によって制御される。また、選択用端末８は、キーボードやポインティングデバイス等の入力装置４１とディスプレイ４２とを備えている。さらに、選択用端末８は、少なくとも部材情報１６及び図面情報３１を記憶することが可能な情報記憶手段４３を有している。
【００３４】
選択用端末８は、機能的構成として、サーバー２から設計図面の図面情報３１と建築部材の部材情報１６とが入力されると、それを認識する図面情報認識手段４４と、図面情報３１を基にディスプレイ４２に建築図面を表示させるとともに、設計図面の各部位に対して選択可能な建築部材群の一覧を表示させる選択画面表示手段４５とを備えている。なお、図面情報認識手段４４によって認識された図面情報３１及び部材情報１６は情報記憶手段４３に記憶される。また、選択用端末８は、入力装置４１の操作によって、ディスプレイ４２に表示された一覧の中から所望の建築部材が選択されると、その建築部材の部材図面を設計図面に貼付けディスプレイ４２に表示させる部材図面貼付手段４６と、貼付けた部材の情報、即ち選択情報をサーバー２に送信する選択情報出力手段４７とを備えている。
【００３５】
次に、本実施形態の住宅設計支援システム１の動作、特にサーバー２における処理の流れ（本発明の住宅設計支援プログラムに相当）について、図７に基づき説明する。まず、サーバー２は、いずれかの設計用端末６からアクセスがあり（ステップＳ１においてＹＥＳ）、さらに、その設計用端末６からのアクセスが初回であった場合には（ステップＳ２においてＹＥＳ）、その設計用端末６にＣＡＤソフト１５及び部材情報１６を送信し、設計用端末６において住宅の設計作業を可能にする（ステップＳ３）。なお、これらのＣＡＤソフト１５等は設計用端末６の情報記憶手段３２に記憶されるため、一度送信すれば、それ以後は記憶されたＣＡＤソフト１５を利用して設計を行うことが可能となる。まず、図５（ａ）に示すように、設計用端末６のディスプレイ２９に、図面作成画面４９が表示され、入力装置２８の入力に基づいて設計図面５０を作成することが可能となる。なお、建築部材を据え付ける部位が指示された場合には、設計図面５０上に例えば二点鎖線の枠が表示される。この例では玄関、和室、及び台所において、夫々玄関収納、収納壁、及びシステムキッチンを据え付けるための空間として、第一枠部５１、第二枠部５２、及び第三枠部５３が表示される。また、設計用端末６では、ディスプレイ２９に表示される画面を、図面作成画面４９から建築部材指示画面５５（図５（ｂ）参照）に切り替えることが可能となっている。この建築部材指示画面５５は、建築士５が各枠部５１，５２，５３に据え付ける建築部材の対象名、及び夫々の建築部材における許容サイズ等を指定するためのものであり、ここで指定された条件が、建築図面とともにサーバー２に送信される。
【００３６】
なお、建築部材に関する部材情報１６は、随時、建築部材メーカー３によって変更又は追加されることから、情報記憶手段３２に記憶されている部材情報１６は所定の周期で更新されることが好ましい。そこで、ステップＳ２においては、設計用端末６からの送信要求を可能とし、この要求があった場合は少なくとも部材情報１６を送信するようにしている。
【００３７】
サーバー２では、ステップＳ３の後、あるいは二回目以降の接続であり且つ送信要求のない場合（ステップＳ２においてＮＯ）には、ステップＳ４に進み、設計用端末６から設計図面の図面情報３１等が送信されたか否かを判断する。そして、図面情報３１が送信された場合には（ステップＳ４においてＹＥＳ）、設計用端末６において指定された条件を満たす建築部材を特定して建築部材群とするとともに、これらの建築部材の部材情報１６を情報記憶手段１１から抽出する（ステップＳ５）。その後、設計用端末６から送信された図面情報３１と抽出した部材情報１６とを選択用端末８に配信する（ステップＳ６）。これにより、選択用端末８において設計図面を確認し、所望の建築部材を選択することが可能になる。
【００３８】
詳細には、図６（ａ）に示すように、選択用端末８のディスプレイ４２には、設計図面５０が表示され、施主７は設計図面５０を確認することが可能になる。そこで、図６（ｂ）に示すように、建築部材を据え付けることが可能な任意の部位、例えば第一枠部５１にポインティングデバイスのポインタＰを合わせ、クリックすると、第一枠部５１に据え付ける建築部材の対象名「玄関収納」と、玄関収納として選択可能な建築部材群５８の一覧５９が表示される。この一覧５９の中には、商品の品名、タイプ、色彩、及び販売価格６０等、建築部材に関する各種情報が含まれ、さらに必要に応じて写真の画像を表示させることができるようになっている。特に、収納壁においては、外観だけでなく、内部構成品の利便性も容易に認識できるように、使用例を示す写真も表示される。
【００３９】
その後、一覧５９における任意の建築部材の上でクリックすることにより、所望の建築部材が選択されると、設計図面５０上の第一枠部５１に、選択した建築部材６２の部材図面が貼付けられる（図６（ｃ）参照）。また、平面図のみならず、立面図や断面図においても建築部材６２の部材図面が貼付けられる。これにより、建築部材６２の収まり具合を把握させることができる。しかも、部材図面はカラーで表示されるため、これにより質感や色調を認識させることも可能となる。
【００４０】
サーバー２では、いずれかの選択用端末８から選択情報（即ち部材図面を貼り付けた設計図面５０に関する情報）が返信されると（ステップＳ７においてＹＥＳ）、その選択情報を、設計図面５０を作成した建築士５の設計用端末６に配信する（ステップＳ８）。これにより、設計用端末６において部材図面を貼り付けた設計図面５０を表示させることが可能になる。
【００４１】
このように、上記の住宅設計支援システム１では、選択用端末８において、設計図面５０を見せながら所望の建築部材を選択させることができる。このため、建築士５と施主７とが、ネットワーク９を介して共同で設計作業を進めることができる。特に、建築部材を選択すると、その建築部材の部材図面が設計図面５０に貼付けられるため、施主７は、自分の住宅の設計に参画したことによる満足感を得ることができ、建築士５との間における意思の疎通も円滑になる。このため、設計変更等による工期の遅れを減らすとともに、施主７等の金銭的な負担を軽減できる。
【００４２】
また、上記の住宅設計支援システム１では、設計用のＣＡＤソフト１５と、建築部材における部材図面のＣＡＤソフトを共通化したことにより、部材図面の貼付け等の処理を極めて簡単に確実に行わせることができる。しかも、施主７は設計図面５０を見て所望の建築部材を選択するのみでよいため、ＣＡＤ技術や設計に関する知識に乏しい施主７であっても容易に設計に参画することができる。
【００４３】
さらに、上記の住宅設計支援システム１では、一覧５９として、建築部材の販売価格６０が表示されるため、施主７は、自分の予算に応じた建築部材を選択することが可能になる。このため、例えば必要以上に高価な建築部材を選択したために、後から不満を生じさせるようなことはない。
【００４４】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００４５】
例えば、本実施形態の住宅設計支援システム１における選択用端末８では、施主７が行える操作を、建築部材の選択に制限するものを示したが、これに加え、建築部材のレイアウトを選択させるようにしてもよい。例えば、玄関収納を玄関の左右どちら側に配置するのかを施主７に選択させるようにしてもよい。これによれば、施主７の分担が増えることから、施主７の満足感を一層高めることができる。
【００４６】
また、本実施形態の住宅設計支援システム１では、設計図面５０に反映することが可能な建築部材群５８を、建築士５が設定するものを示したが、サーバー２を管理する建築部材メーカー３が設計図面５０に基づき設定するようにしてもよい。これによれば、建築部材の納期や生産体制を考慮した設定が可能になり、施主７が選択した建築部材を確実に且つ速やかに納品することが可能になる。
【００４７】
さらに、本実施形態の住宅設計支援システム１では、選択用端末８において設計図面５０を表示させるものを示したが、プリンタ等の印刷装置を備え、表示された設計図面５０を必要に応じて紙媒体に印刷させるようにしてもよい。
【００４８】
【発明の効果】
以上のように、請求項１の発明の住宅設計支援システムは、設計図面を見せながら、施主に所望の建築部材を選択させることが可能になる。このため、建築士と施主とが、通信ネットワークを介して共同で設計作業を進めることができるようになり、設計変更等による工期の遅れや金銭的な負担を軽減できる。
【００４９】
請求項２の発明の住宅設計支援システムは、請求項１の発明の効果に加え、ＣＡＤソフトの共通化により、建築士が作成された設計図面に、所望の建築部材を容易に貼付けることが可能になる。このため、選択用端末において、完成された設計図面を表示させることができ、施主の満足感を高めることができる。
【００５０】
請求項３の発明の住宅設計支援システムは、請求項１または請求項２の発明の効果に加え、選択用端末において建築部材を選択すると、建築部材が貼付けられた設計図面が作成されるため、施主は、自分の住宅の設計に参画したことによる満足感を得ることができ、建築士との間における意思の疎通を円滑にすることができる。
【００５１】
請求項４の発明の住宅設計支援システムは、請求項３の発明の効果に加え、建築部材の販売価格が表示されるため、施主は、タイプや色彩ばかりでなく、自分の予算に適した建築部材を選択することができる。
【００５２】
請求項５の発明の住宅設計支援プログラムは、管理用コンピュータで実行させることにより、建築者と施主とが通信ネットワークを介して、住宅の設計を共同で行うことが可能になる。このため、協議の回数を低減できるとともに、施主に満足感を与えることができる。
【図面の簡単な説明】
【図１】本発明の一実施形態である住宅設計支援システムの概略構成を示す説明図である。
【図２】住宅設計支援システムにおけるサーバーの機能的構成を示すブロック図である。
【図３】住宅設計支援システムにおける設計用端末の機能的構成を示すブロック図である。
【図４】住宅設計支援システムにおける選択用端末の機能的構成を示すブロック図である。
【図５】設計用端末における表示画面の一例を簡略的に表した説明図である。
【図６】選択用端末における表示画面の一例を簡略的に表した説明図である。
【図７】サーバーにおける処理の流れを示すフローチャートである。
【符号の説明】
１　住宅設計支援システム
２　サーバー（管理用コンピュータ）
５　建築士
６　設計用端末
７　施主
８　選択用端末
９　ネットワーク（通信ネットワーク）
１１　情報記憶手段（部材情報記憶手段）
１５　ＣＡＤソフト
１６　部材情報
１８　基材出力手段（基材送信手段）
２０　抽出手段
２１　図面情報配信手段
２３　選択情報配信手段
４５　選択画面表示手段
４６　部材図面貼付手段
５８　建築部材群
５９　一覧
６０　販売価格
６２　建築部材
【図１】
2004021903.tif 000003
【図２】
2004021903.tif 000004
【図３】
2004021903.tif 000005
【図４】
2004021903.tif 000006
【図５】
2004021903.tif 000007
【図６】
2004021903.tif 000008
【図７】
2004021903.tif 000009